(57)【要約】【課題】突張り式の根太を各種コーナー部の対角線に沿って突張り固定可能にできるコーナーアタッチメントおよびデッキを提供すること。【解決手段】コーナーアタッチメント７０Ａ（７０Ｂ）は、一対の壁当り部７１，７２と、壁当り部７１，７２に連続する根太受け部７３とを有する。壁当り部７１，７２は、水平方向に間隔を隔てて位置する。根太受け部７３は、壁当り部７１，７２間に位置する。壁当り部７１，７２および根太受け部７３によって、出隅壁部の頂点が配置可能な逃げ空間７５が形成される。【選択図】図７
2017002594.tif 000002
【特許請求の範囲】
【請求項１】
間隔を隔てて対向する出隅壁部および入隅壁部によって形成されるコーナー部の対角線に沿って配置される突張り根太の端部を受けるコーナーアタッチメントであって、
水平方向に間隔を隔てて位置する一対の壁当り部と、当該一対の壁当り部間に位置する根太受け部とを有し、
前記一対の壁当り部および前記根太受け部によって、前記出隅壁部の頂点が配置可能な逃げ空間が形成される
ことを特徴とするコーナーアタッチメント。
【請求項２】
請求項１に記載のコーナーアタッチメントにおいて、
前記根太受け部には、上下方向において前記突張り根太の端部に掛かる掛り部が形成される
ことを特徴とするコーナーアタッチメント。
【請求項３】
請求項１または請求項２に記載のコーナーアタッチメントにおいて、
前記一対の壁当り部は、前記出隅壁部の頂点が前記逃げ空間に配置された状態で前記根太受け部が前記出隅壁部の頂点から離間して位置するように、当該根太受け部から延出して形成される
ことを特徴とするコーナーアタッチメント。
【請求項４】
請求項１から請求項３のいずれか一項に記載のコーナーアタッチメントにおいて、
前記一対の壁当り部は、前記根太受け部の面外方向に延出しており、
前記一対の壁当り部の延出寸法は、前記根太受け部の幅寸法の１／２よりも大きい寸法に設定される
ことを特徴とするコーナーアタッチメント。
【請求項５】
請求項１から請求項４のいずれか一項に記載のコーナーアタッチメントにおいて、
前記一対の壁当り部のうちの一方と前記根太受け部とによって形成される内角は、前記一対の壁当り部のうちの他方と前記根太受け部とによって形成される内角と同じである
ことを特徴とするコーナーアタッチメント。
【請求項６】
間隔を隔てて対向する出隅壁部および入隅壁部によって形成されるコーナー部に設置されるデッキであって、
前記コーナー部の対角線に沿って配置される突張り根太と、
前記突張り根太の端部に配置される請求項１から請求項５のいずれか一項に記載のコーナーアタッチメントと、
前記突張り根太に固定されるデッキ材とを備え、
前記突張り根太は、前記コーナーアタッチメントを介して前記一対の壁部間に突張り固定される
ことを特徴とするデッキ。
【発明の詳細な説明】
【技術分野】
【０００１】
本発明は、バルコニーなどのコーナー部の対角線に沿って設置されてデッキ材を支持する突張り式の根太の端部に配置されるコーナーアタッチメントおよびデッキに関する。
【背景技術】
【０００２】
従来、デッキ支持構造として、複数の根太を補強材の長手方向に等間隔を隔てて平行に配置して構成される根太組み構造が知られている（特許文献１参照）。各根太や補強材の端部には当該端部からの突出量を調整可能な振れ止め具が取り付けられている。各根太や補強材には、各振れ止め具の前記突出量を調整することで、中空矩形状の固定枠の対向する壁部などに突張り固定される。
【先行技術文献】
【特許文献】
【０００３】
【特許文献１】特開２００５−０９７８７５号公報
【発明の概要】
【発明が解決しようとする課題】
【０００４】
ところで、特許文献１に記載の根太組み構造は、対向する壁部に突張り固定されるものであり、集合住宅等の建物のバルコニーのコーナー部への突張り固定に対応していないため、当該コーナー部に突張り固定することが困難である。
【０００５】
本発明の目的は、突張り式の根太を各種コーナー部の対角線に沿って突張り固定可能にできるコーナーアタッチメントおよびデッキを提供することにある。
【課題を解決するための手段】
【０００６】
本発明のコーナーアタッチメントは、間隔を隔てて対向する出隅壁部および入隅壁部によって形成されるコーナー部の対角線に沿って配置される突張り根太の端部を受けるコーナーアタッチメントであって、水平方向に間隔を隔てて位置する一対の壁当り部と、当該一対の壁当り部間に位置する根太受け部とを有し、前記一対の壁当り部および前記根太受け部によって、前記出隅壁部の頂点が配置可能な逃げ空間が形成されることを特徴とする。
【０００７】
本発明のコーナーアタッチメントによれば、突張り根太の端部にコーナーアタッチメントを配置することで、バルコニーなどのコーナー部を形成する様々な角度の出隅壁部や入隅壁部に対応でき、突張り根太をコーナー部の対角線に沿って容易に突張り固定できる。
つまり、コーナーアタッチメントの一対の壁当り部を、第一壁面と第二壁面との交差角度が１８０度よりも大きくなる出隅壁部に当てる場合には、根太受け部で突張り根太の端部を受けつつ、一対の壁当り部を、出隅壁部の頂点をまたいで第一壁面および第二壁面に当てることができる。
また、コーナーアタッチメントの一対の壁当り部を、第一壁面と第二壁面との交差角度が１８０度よりも小さくなる入隅壁部に当てる場合には、根太受け部で突張り根太の端部を受けつつ、一対の壁当り部を、入隅壁部の第一壁面および第二壁面に当てることができる。
このように、前述したコーナーアタッチメントは、出隅壁部、入隅壁部のいずれに対しても、一対の壁当り部を当てることができるので、突張り根太の両端部に配置するコーナーアタッチメントを共通化できる。
【０００８】
本発明のコーナーアタッチメントでは、前記根太受け部には、上下方向において前記突張り根太の端部に掛かる掛り部が形成されることが好ましい。
このような構成によれば、高さ調整具などによって突張り根太の高さ位置を上げた場合、掛り部が突張り根太の端部に掛かって押し上げられるので、コーナーアタッチメントが突張り根太から外れることを抑制できる。
また、高さ調整具などによって突張り根太の高さ位置を下げた場合、コーナーアタッチメントはその自重によって下降するが、掛り部が突張り根太の端部に掛かるので、コーナーアタッチメントが突張り根太から外れることを抑制できる。
【０００９】
本発明のコーナーアタッチメントでは、前記一対の壁当り部は、前記出隅壁部の頂点が前記逃げ空間に配置された状態で前記根太受け部が前記出隅壁部の頂点から離間して位置するように、当該根太受け部から延出して形成されることが好ましい。
このような構成によれば、一方の壁部の頂点が根太受け部に当接することがないので、出隅壁部の頂点が根太受け部に当接する場合と比べ、一対の壁当り部の出隅壁部に対する当り圧が根太受け部に分散されることがなく、一対の壁当り部と一方の壁部の第一壁面および第二壁面との当り状態を適切に維持できる。
【００１０】
本発明のコーナーアタッチメントでは、前記一対の壁当り部は、前記根太受け部の面外方向に延出しており、前記一対の壁当り部の延出寸法は、前記根太受け部の幅寸法の１／２よりも大きい寸法に設定されることが好ましい。
このような構成によれば、第一壁面および第二壁面の交差角度が２７０度以下である出隅壁部に一対の壁当り部が当てられた状態で、当該出隅壁部の頂点が根太受け部に当接しない程度の奥行寸法を確保でき、一対の壁当り部と出隅壁部との当り状態を適切に維持できる。
【００１１】
本発明のコーナーアタッチメントでは、前記一対の壁当り部のうちの一方と前記根太受け部とによって形成される内角は、前記一対の壁当り部のうちの他方と前記根太受け部とによって形成される内角と同じであることが好ましい。
このような構成によれば、一対の壁当り部のうちの一方が第一壁面に対向する角度と、一対の壁当り部のうちの他方が第二壁面に対向する角度とを同じにでき、突張り根太の突張り状態でコーナーアタッチメントに加わる力を一対の壁当り部に均等に分散できる。
【００１２】
本発明のデッキは、間隔を隔てて対向する出隅壁部および入隅壁部によって形成されるコーナー部に設置されるデッキであって、前記コーナー部の対角線に沿って配置される突張り根太と、前記突張り根太の端部に配置される前述した本発明のコーナーアタッチメントと、前記突張り根太に固定されるデッキ材とを備え、前記突張り根太は、前記コーナーアタッチメントを介して前記一対の壁部間に突張り固定されることを特徴とする。
本発明のデッキによれば、前述した本発明のコーナーアタッチメントと同様の作用効果を発揮可能なデッキを構成できる。
【発明の効果】
【００１３】
本発明によれば、突張り式の根太を各種コーナー部の対角線に沿って突張り固定可能にできるコーナーアタッチメントおよびデッキを提供できる。
【図面の簡単な説明】
【００１４】
【図１】本発明の実施形態に係るデッキのデッキ支持構造を示す斜視図。
【図２】前記実施形態に係るデッキを示す平面図。
【図３】前記実施形態に係るデッキを示す縦断面図。
【図４】前記実施形態に係るデッキの根太を示す説明図。
【図５】前記実施形態に係るデッキのデッキ支持構造を拡大して示す斜視図。
【図６】前記実施形態に係るデッキの各補助根太の取付け位置を示す斜視図。
【図７】前記実施形態に係るデッキのコーナーアタッチメントを示す斜視図。
【図８】本発明の変形例に係るコーナーアタッチメントを示す斜視図。
【図９】本発明の変形例に係るデッキを示す平面図。
【発明を実施するための形態】
【００１５】
［本実施形態の構成］
以下、本発明の実施形態を図面に基づいて説明する。
図１〜３において、本実施形態に係るデッキ１は、集合住宅等の建物のバルコニー２に設置されるものである。図１では、説明の便宜上、デッキ１のデッキ材５を図示省略している。
【００１６】
バルコニー２は、鉄筋コンクリート造であり、建物側の壁部２１と、屋外側（手摺側）の壁部２２（パラペット）と、壁部２１，２２に連続する底部２３とを備えている。壁部２１，２２は、バルコニー２の出幅方向において互いに対向して配置されている。
【００１７】
バルコニー２には、図２に示すように出隅コーナー部２Ａおよび入隅コーナー部２Ｂが形成されている。出隅コーナー部２Ａでは、壁部２１は１８０度よりも大きい交差角度θ１（本実施形態では２７０度）で交差する第一壁面２１１および第二壁面２１２を有した出隅壁部２１Ａを形成し、壁部２２は１８０度よりも小さい交差角度θ２（本実施形態では９０度）で交差する第一壁面２２１および第二壁面２２２を有した入隅壁部２２Ａを形成している。入隅コーナー部２Ｂでは、壁部２１は１８０度よりも小さい交差角度（本実施形態では９０度）で交差する第一壁面２１１および第二壁面２１２を有した入隅壁部２１Ｂを形成し、壁部２２は１８０度よりも大きい交差角度（本実施形態では２７０度）で交差する第一壁面２２１および第二壁面２２２を有した出隅壁部２２Ｂを形成している。
【００１８】
デッキ１は、壁部２１，２２間に設置される複数の根太３と、出隅コーナー部２Ａに設置されるデッキ支持構造４Ａと、入隅コーナー部２Ｂに設置されるデッキ支持構造４Ｂと、複数の根太３およびデッキ支持構造４Ａ，４Ｂに固定される複数のデッキ材５（図３参照）とを備えている。
【００１９】
複数の根太３は、図２に示すようにバルコニー２の間口方向において所定間隔を隔てて並設されている。各根太３は、図３に示すようにバルコニー２の出幅方向に沿って配置されており、根太本体３１と、長さ調整具３２と、付勢調整具３３と、高さ調整具３４とを備えている。
根太本体３１はアルミ押出形材によって出幅方向に延びて形成されており、長さ調整具３２は壁部２２側に位置する根太本体３１の端部３１Ａに取り付けられており、付勢調整具３３は壁部２１側に位置する根太本体３１の端部３１Ｂに取り付けられており、高さ調整具３４は根太本体３１の下面に取り付けられている。
【００２０】
図４に示すように、長さ調整具３２は、根太本体３１の端部３１Ａに螺合したねじ軸３２１と、ねじ軸３２１の先端に取り付けられた皿状の当り部材３２２とを備えている。長さ調整具３２は、ねじ軸３２１の回転によって端部３１Ａから当り部材３２２までの長さ寸法を調整することで、根太本体３１全体の長さを調整する構成とされている。当り部材３２２には、ゴム製の緩衝材（図示省略）が装着されており、この緩衝材が壁部２２に当接している。なお、ねじ軸３２１の回転はロックナットの操作によって止められる。
【００２１】
付勢調整具３３は、根太本体３１の端部３１Ｂにスライド可能に連結されたスライド部材３３１と、スライド部材３３１および根太本体３１の端部３１Ｂ間に介在された付勢部材としてのコイルばね３３２と、スライド部材３３１に螺合したねじ軸３３３と、ねじ軸３３３の先端に取り付けられた皿状の当り部材３３４とを備えている。付勢調整具３３は、根太３が壁部２１，２２間に突張られた状態でねじ軸３３３の回転によってスライド部材３３１を端部３１Ｂに対してスライドさせ、このスライドによりコイルばね３３２の弾性付勢力を調整することで、根太３の突張り力を調整する構成とされている。当り部材３３４には、ゴム製の緩衝材（図示省略）が装着されており、この緩衝材が壁部２１に当接している。なお、ねじ軸３３３の回転はロックナットの操作によって止められる。
【００２２】
高さ調整具３４は、根太本体３１の長手方向に沿って所定間隔を隔てて複数配置されている。高さ調整具３４は、根太本体３１に螺合したねじ軸３４１と、ねじ軸３４１の先端に取り付けられた当り部材３４２とを備えている。高さ調整具３４は、ねじ軸３４１の回転によって根太本体３１の下面から当り部材３４２までの高さ寸法を調整することで、根太本体３１全体の高さ位置を調整する構成とされている。なお、当り部材３４２は、ねじ軸３４１を回転させる操作摘みとしても機能する構成とされている。
【００２３】
デッキ支持構造４Ａは、図５に示すように、突張り根太４０と、第一補助根太５０Ａ，５０Ｂと、第二補助根太６０Ａ，６０Ｂと、コーナーアタッチメント７０Ａ，７０Ｂとを備えている。
【００２４】
突張り根太４０は、根太本体４１と、長さ調整具４２と、付勢調整具４３と、高さ調整具４４とを備えている。根太本体４１、長さ調整具４２、付勢調整具４３および高さ調整具４４は、根太３の根太本体３１、長さ調整具３２、付勢調整具３３および高さ調整具３４と同様に形成されている。
【００２５】
根太本体４１は、図６に示すように、上板部４１１と、側板部４１２，４１３と、下板部４１４と、延出片部４１５，４１６とを有して中空に形成されている。根太本体４１の端部３１Ａには、長さ調整具４２のねじ軸３２１が螺合した固定金具が取り付けられ、根太本体４１の端部３１Ｂには、付勢調整具４３のスライド部材３３１がスライド可能に連結される固定金具が取り付けられている。
上板部４１１の両側縁は、側板部４１２，４１３の上縁から図６において左右方向に突出している。下板部４１４には、高さ調整具４４のねじ軸３４１が螺合している。
延出片部４１５は、側板部４１２の上側部分から水平方向に延出している。延出片部４１６は、側板部４１３の上側部分から水平方向に延出している。
上板部４１１、側板部４１２および延出片部４１５によって溝部４１７が形成されており、上板部４１１、側板部４１３および延出片部４１６によって溝部４１８が形成されている。
【００２６】
第一補助根太５０Ａは、図５に示すように、補助根太本体５１と、長さ調整具５２と、高さ調整具５３とを備えている。補助根太本体５１の断面形状は根太本体４１の断面形状と同様である。長さ調整具５２および高さ調整具５３は、根太３の長さ調整具３２、高さ調整具３４と同様に形成されている。
補助根太本体５１は、突張り根太４０の長手方向に対し、出隅コーナー部２Ａの入隅壁部２２Ａの第一壁面２２１および第二壁面２２２の交差角度９０度の１／２である４５度の内角をもって傾斜して配置されている。
補助根太本体５１の端部５１Ａには長さ調整具５２が取り付けられている。
補助根太本体５１の端部５１Ｂは、突張り根太４０の長手方向に沿ってカットされた端面が形成されている。
補助根太本体５１の端部５１Ｂは、図６に示すように、取付部材８０によって根太本体４１に取り付けられている。取付部材８０は、補助根太本体５１の延出片部４１５，４１６と根太本体４１の延出片部４１６とにビス止めされている。これにより、補助根太本体５１の端部５１Ｂは、突張り根太４０の一方の側面に取り付けられている。なお、ここでの取付部材８０は溝部４１８に差し込まれている。
【００２７】
第一補助根太５０Ｂは、第一補助根太５０Ａと同様に構成されているので、その詳細な説明を省略する。なお、第一補助根太５０Ｂの補助根太本体５１は、第一補助根太５０Ａの補助根太本体５１よりも長く形成されている。また、第一補助根太５０Ｂの突張り根太４０への取付位置は、第一補助根太５０Ａの突張り根太４０への取付位置よりも根太本体４１の端部３１Ｂ側の位置である。
【００２８】
第二補助根太６０Ａは、補助根太本体６１と、長さ調整具６２と、高さ調整具６３とを備えている。補助根太本体６１の断面形状は根太本体４１の断面形状と同様である。長さ調整具６２および高さ調整具６３は、根太３の長さ調整具３２、高さ調整具３４と同様に形成されている。
補助根太本体６１は、突張り根太４０の長手方向に対し、出隅コーナー部２Ａの入隅壁部２２Ａの第一壁面２２１および第二壁面２２２の交差角度９０度の１／２である４５度の内角をもって傾斜して配置されている。
補助根太本体６１の端部６１Ａには長さ調整具６２が取り付けられている。
補助根太本体６１の端部６１Ｂには、突張り根太４０の長手方向に沿ってカットされた端面が形成されている。
補助根太本体６１の端部６１Ｂは、図６に示すように、取付部材８０によって根太本体４１に取り付けられている。取付部材８０は、補助根太本体６１の延出片部４１５，４１６と根太本体４１の延出片部４１５とにビス止めされている。これにより、補助根太本体６１の端部６１Ｂは、突張り根太４０の他方の側面に取り付けられている。なお、ここでの取付部材８０は溝部４１７に差し込まれている。
【００２９】
第二補助根太６０Ｂは、第二補助根太６０Ａと同様に構成されているので、その詳細な説明を省略する。なお、第二補助根太６０Ｂの補助根太本体６１は、第二補助根太６０Ａの補助根太本体６１よりも長く形成されている。また、第二補助根太６０Ｂの突張り根太４０への取付位置は、第二補助根太６０Ａの突張り根太４０への取付位置よりも根太本体４１の端部３１Ｂ側の位置である。
【００３０】
第一補助根太５０Ａおよび第二補助根太６０Ａは、突張り根太４０の長手方向に沿った仮想線を対称軸として線対称である。第一補助根太５０Ａおよび第二補助根太６０Ａは、互いに同じ長さ寸法とされている。第一補助根太５０Ａの突張り根太４０への取付位置と第二補助根太６０Ａの突張り根太４０への取付位置とは、突張り根太４０の長手方向において同位置である。
また、第一補助根太５０Ｂおよび第二補助根太６０Ｂは、突張り根太４０の長手方向に沿った仮想線を対称軸として線対称である。第一補助根太５０Ｂおよび第二補助根太６０Ｂは、互いに同じ長さ寸法とされている。第一補助根太５０Ｂの突張り根太４０への取付け位置と第二補助根太６０Ｂの突張り根太４０への取付位置とは、突張り根太４０の長手方向において同位置である。
【００３１】
図５に示すように、コーナーアタッチメント７０Ａは、長さ調整具４２側に配置されており、コーナーアタッチメント７０Ｂは、付勢調整具４３側に配置されている。コーナーアタッチメント７０Ａ，７０Ｂは互いに同様に形成されており、図７に示すように、一対の壁当り部７１，７２と、根太受け部７３と、掛り部７４とを有して断面コ字形状に形成されている。壁当り部７１，７２の先端側には、可撓性を有するゴム製の緩衝材７６（図５参照）が配置されている。
【００３２】
壁当り部７１，７２は、板状に形成され、突張り根太４０の長手方向に直交する水平方向に間隔を隔てて対向して位置している。壁当り部７１，７２は、根太受け部７３の面外方向における一方側に延出している。壁当り部７１と根太受け部７３とによって形成される内角は、壁当り部７２と根太受け部７３とによって形成される内角と同じ９０度である。
根太受け部７３は、板状に形成され、壁当り部７１，７２の対向方向における両縁で当該壁当り部７１，７２に連続している。根太受け部７３は、壁当り部７１，７２間に位置している。
掛り部７４は、根太受け部７３の上部を折曲して形成されており、根太受け部７３の面外方向における他方側に突出している。
【００３３】
壁当り部７１，７２および根太受け部７３によって逃げ空間７５が形成されている。本実施形態では、逃げ空間７５を形成する壁当り部７１，７２の延出寸法Ｌ（根太受け部７３の面外方向における寸法）は、根太受け部７３の水平方向における幅寸法Ｗの１／２よりも大きい寸法とされている（図７参照）。このように寸法設定された壁当り部７１，７２および根太受け部７３によって形成される逃げ空間７５は、壁当り部７１，７２が出隅壁部２１Ａ（本実施形態では第一壁面２１１および第二壁面２１２の交差角度θ１が２７０度である出隅壁部２１Ａ）の第一壁面２１１および第二壁面２１２に緩衝材７６を介して当てられた状態で、当該出隅壁部２１Ａの頂点が根太受け部７３に当接しない程度の奥行寸法（根太受け部７３の面外方向における寸法）を有している。
【００３４】
このデッキ支持構造４Ａは、図２に示すように、出隅コーナー部２Ａにおいて、突張り根太４０は出隅コーナー部２Ａの対角線に沿って配置され、突張り根太４０の長さ調整具４２は入隅壁部２２Ａ側に配置され、突張り根太４０の付勢調整具４３は出隅壁部２１Ａ側に配置され、第一補助根太５０Ａ，５０Ｂの長さ調整具５２は入隅壁部２２Ａの第一壁面２２１側に配置され、第二補助根太６０Ａ，６０Ｂの長さ調整具６２は入隅壁部２２Ａ側の第二壁面２２２側に配置されている。
【００３５】
デッキ支持構造４Ｂは、図２に示すように、デッキ支持構造４Ａと同様に構成されているので、その詳細な説明を省略する。なお、入隅コーナー部２Ｂにおいて、突張り根太４０は入隅コーナー部２Ｂの対角線に沿って配置され、突張り根太４０の長さ調整具４２は入隅壁部２１Ｂ側に配置され、突張り根太４０の付勢調整具４３は出隅壁部２２Ｂ側に配置され、第一補助根太５０Ａ，５０Ｂの長さ調整具５２は入隅壁部２１Ｂの第一壁面２１１側に配置され、第二補助根太６０Ａ，６０Ｂの長さ調整具６２は入隅壁部２１Ｂの第二壁面２１２側に配置されている。
【００３６】
デッキ材５は、図２，３に示すように、バルコニー２の出幅方向に複数並設されている。各デッキ材５は、木粉を含有した合成樹脂製の押出形材によってそれぞれ同一形状に形成されており、バルコニー２の間口方向に沿って配置されている。
バルコニー２の出幅方向において互いに隣接するデッキ材５の側縁部同士は、根太３にビス止めされた連結金具によって連結されている。また、バルコニー２の間口方向において互いに隣接するデッキ材５の端部間には、目地塞ぎ材（図示省略）が設けられている。
複数のデッキ材５のうちバルコニー２の出幅方向における両端部に配置されるデッキ材５は、複数の根太３にビス止めされている。
【００３７】
複数のデッキ材５のうち出隅コーナー部２Ａに位置するデッキ材５の端部は、出隅コーナー部２Ａの対角線に沿って配置された突張り根太４０に沿って斜めカットされた傾斜端面５Ａ（図２参照）を有して形成されている。前記斜めカットされたデッキ材５の端部は、デッキ材５の長手方向に対し、入隅壁部２２Ａの第一壁面２２１および第二壁面２２２の交差角度９０度の１／２である４５度の角度をもって形成されている。
また、複数のデッキ材５のうち入隅コーナー部２Ｂに位置するデッキ材５の端部は、入隅コーナー部２Ｂの対角線に沿って配置された突張り根太４０に沿って斜めカットされた傾斜端面５Ａを有して形成されている。前記斜めカットされたデッキ材５の端部は、デッキ材５の長手方向に対し、入隅壁部２１Ｂの第一壁面２１１および第二壁面２１２の交差角度９０度の１／２である４５度の角度をもって形成されている。
出隅コーナー部２Ａでは、デッキ材５は、第一補助根太５０Ａ，５０Ｂの補助根太本体５１にビス止めされている。入隅コーナー部２Ｂでは、デッキ材５は、第二補助根太６０Ａ，６０Ｂの補助根太本体６１にビス止めされている。
【００３８】
［本実施形態の施工］
以下、本実施形態に係るデッキ１の施工について説明する。
先ず、図２に示すように、複数の根太３およびデッキ支持構造４Ａ，４Ｂを固定する。
複数の根太３は、バルコニー２の間口方向に沿って所定間隔を隔てて配置する。次に、複数の高さ調整具３４によって根太本体３１の高さ位置を調整する。次に、長さ調整具３２によって根太３の長さを調整して、当り部材３２２を壁部２２に当てるとともに当り部材３３４を壁部２１に当てる。続いて、付勢調整具３３によって根太３の突張り力を調整する。このようにして、複数の根太３を壁部２１，２２に突張り固定した状態とする。
【００３９】
デッキ支持構造４Ａの出隅コーナー部２Ａへの固定は次の通りである。
コーナーアタッチメント７０Ａを入隅壁部２２Ａ側に配置し、コーナーアタッチメント７０Ｂを出隅壁部２１Ａ側に配置する。コーナーアタッチメント７０Ａおよび入隅壁部２２Ａ間とコーナーアタッチメント７０Ｂおよび出隅壁部２１Ａ間とには、緩衝材７６を設ける。続いて、長さ調整具４２が入隅壁部２２Ａ側に位置し、かつ付勢調整具４３が出隅壁部２１Ａ側に位置するように突張り根太４０を出隅コーナー部２Ａの対角線に沿って配置する。
【００４０】
次に、長さ調整具４２によって突張り根太４０の長さを調整する。この長さ調整により、長さ調整具４２の当り部材３２２をコーナーアタッチメント７０Ａの根太受け部７３に当接し、かつ、コーナーアタッチメント７０Ａの壁当り部７１，７２を、緩衝材７６を介して入隅壁部２２Ａの第一壁面２２１および第二壁面２２２に当てる。また、付勢調整具４３の当り部材３３４をコーナーアタッチメント７０Ｂの根太受け部７３に当接し、かつ、コーナーアタッチメント７０Ｂの壁当り部７１，７２を、緩衝材７６を介して出隅壁部２１Ａの第一壁面２１１および第二壁面２１２に当てる。ここで、出隅壁部２１Ａの頂点は、コーナーアタッチメント７０Ｂの逃げ空間７５であって根太受け部７３から離れた位置に配置される。
【００４１】
前述したように配置した突張り根太４０は、その長手方向における突張り力が加えられていないので、高さ調整具４４によって高さ位置を調整可能な状態にある。この状態で、複数の高さ調整具４４によって根太本体４１の高さ位置を調整する。このとき、入隅壁部２２Ａおよび突張り根太４０間に位置するコーナーアタッチメント７０Ａは、その掛り部７４で長さ調整具４２の当り部材３２２に上下方向に掛り止めされるので、突張り根太４０から外れることが抑制される。また、コーナーアタッチメント７０Ｂは、その掛り部７４で付勢調整具４３の当り部材３３４に上下方向に掛り止めされるので、突張り根太４０から外れることが抑制される。
【００４２】
次に、第一補助根太５０Ａ，５０Ｂの一端部５１Ｂを取付部材８０によって根太本体４１の一方の側面に取り付け、かつ、第二補助根太６０Ａ，６０Ｂの一端部６１Ｂを取付部材８０によって根太本体４１の他方の側面に取り付ける。第一補助根太５０Ａ，５０Ｂおよび第二補助根太６０Ａ，６０Ｂの取付位置、取付角度は前述した通りであるため、ここでの説明を省略する。
続いて、第一補助根太５０Ａ，５０Ｂを、高さ調整具５３によって高さ調整し、かつ長さ調整具５２によって長さ調整し、各長さ調整具５２の当り部材３２２を入隅壁部２２Ａの第一壁面２２１に当接する。また、第二補助根太６０Ａ，６０Ｂを、高さ調整具６３によって高さ調整し、かつ長さ調整具６２によって長さ調整し、各長さ調整具６２の当り部材３２２を入隅壁部２２Ａの第二壁面２２２に当接する。
なお、第一補助根太５０Ａ，５０Ｂは、突張り根太４０の一方の側面側で各根太３と等間隔を隔てて並んで配置され、第二補助根太６０Ａ，６０Ｂは、突張り根太４０の他方の側面側で各根太３と等間隔を隔てて並んで配置される。突張り根太４０の端部３１Ａから第一補助根太５０Ａの端部５１Ａまでの間隔と、第一補助根太５０Ａの端部５１Ａから第一補助根太５０Ｂの端部５１Ａまでの間隔と、第一補助根太５０Ｂの端部５１Ａから根太３の端部３１Ａまでの間隔とは、互いに同じ間隔とされる。また、突張り根太４０の端部３１Ａから第二補助根太６０Ａの端部６１Ａまでの間隔と、第二補助根太６０Ａの端部６１Ａから第二補助根太６０Ｂの端部６１Ａまでの間隔と、第二補助根太６０Ｂの端部６１Ａから根太３の端部３１Ａまでの間隔とは、互いに同じ間隔とされる。
【００４３】
次に、付勢調整具４３によって根太本体４１を入隅壁部２２Ａ側に付勢することで突張り根太４０の突張り力を調整する。これにより、突張り根太４０は、出隅コーナー部２Ａの対角線に沿って突張り固定される。
また、付勢調整具４３によって根太本体４１を入隅壁部２２Ａ側に付勢することで、第一補助根太５０Ａ，５０Ｂが入隅壁部２２Ａの第一壁面２２１側に付勢され、第二補助根太６０Ａ,６０Ｂが入隅壁部２２Ａの第二壁面２２２側に付勢される。これにより第一補助根太５０Ａ，５０Ｂおよび第二補助根太６０Ａ，６０Ｂも突張り固定される。
このようにデッキ支持構造４Ａを出隅コーナー部２Ａに固定する。
【００４４】
デッキ支持構造４Ｂの入隅コーナー部２Ｂへの固定は次の通りである。
コーナーアタッチメント７０Ａを入隅壁部２１Ｂ側に配置し、コーナーアタッチメント７０Ｂを出隅壁部２２Ｂ側に配置する。コーナーアタッチメント７０Ａおよび入隅壁部２１Ｂ間とコーナーアタッチメント７０Ｂおよび出隅壁部２２Ｂ間とには、緩衝材７６を設ける。続いて、長さ調整具４２が入隅壁部２１Ｂ側に位置し、かつ付勢調整具４３が出隅壁部２２Ｂ側に位置するように突張り根太４０を入隅コーナー部２Ｂの対角線に沿って配置する。
【００４５】
次に、長さ調整具４２によって突張り根太４０の長さを調整する。この長さ調整により、長さ調整具４２の当り部材３２２をコーナーアタッチメント７０Ａの根太受け部７３に当接し、かつ、コーナーアタッチメント７０Ａの壁当り部７１，７２を、緩衝材７６を介して入隅壁部２１Ｂの第一壁面２１１および第二壁面２１２に当てる。また、付勢調整具４３の当り部材３３４をコーナーアタッチメント７０Ｂの根太受け部７３に当接し、かつ、コーナーアタッチメント７０Ｂの壁当り部７１，７２を、緩衝材７６を介して出隅壁部２２Ｂの第一壁面２２１および第二壁面２２２に当てる。ここで、出隅壁部２２Ｂの頂点は、コーナーアタッチメント７０Ｂの逃げ空間７５であって根太受け部７３から離れた位置に配置される。
【００４６】
前述したように配置した突張り根太４０は、その長手方向における突張り力が加えられていないので、高さ調整具４４によって高さ位置を調整可能な状態にある。この状態で、複数の高さ調整具４４によって根太本体４１の高さ位置を調整する。このとき、入隅壁部２１Ｂおよび突張り根太４０間に位置するコーナーアタッチメント７０Ａは、その掛り部７４で長さ調整具４２の当り部材３２２に掛り止めされるので、突張り根太４０から外れることが抑制される。また、コーナーアタッチメント７０Ｂは、その掛り部７４で付勢調整具４３の当り部材３３４に掛り止めされるので、突張り根太４０から外れることが抑制される。
【００４７】
次に、第一補助根太５０Ａ，５０Ｂの一端部５１Ｂを取付部材８０によって根太本体４１の一方の側面に取り付け、かつ、第二補助根太６０Ａ，６０Ｂの一端部６１Ｂを取付部材８０によって根太本体４１の他方の側面に取り付ける。第一補助根太５０Ａ，５０Ｂおよび第二補助根太６０Ａ，６０Ｂの取付位置、取付角度は前述した通りであるため、ここでの説明を省略する。
続いて、第一補助根太５０Ａ，５０Ｂを、高さ調整具５３によって高さ調整し、かつ長さ調整具５２によって長さ調整し、各長さ調整具５２の当り部材３２２を入隅壁部２１Ｂの第一壁面２１１に当接する。また、第二補助根太６０Ａ，６０Ｂを、高さ調整具６３によって高さ調整し、かつ長さ調整具６２によって長さ調整し、各長さ調整具６２の当り部材３２２を入隅壁部２１Ｂの第二壁面２１２に当接する。
なお、第一補助根太５０Ａ，５０Ｂは、突張り根太４０の一方の側面側で各根太３と等間隔を隔てて並んで配置され、第二補助根太６０Ａ，６０Ｂは、突張り根太４０の他方の側面側で各根太３と等間隔を隔てて並んで配置される。突張り根太４０の端部３１Ａから第一補助根太５０Ａの端部５１Ａまでの間隔と、第一補助根太５０Ａの端部５１Ａから第一補助根太５０Ｂの端部５１Ａまでの間隔と、第一補助根太５０Ｂの端部５１Ａから根太３の端部３１Ａまでの間隔とは、互いに同じである。また、突張り根太３の端部３１Ａから第二補助根太６０Ａの端部６１Ａまでの間隔と、第二補助根太６０Ａの端部６１Ａから第二補助根太６０Ｂの端部６１Ａまでの間隔と、第二補助根太６０Ｂの端部６１Ａから根太３の端部３１Ａまでの間隔とは、互いに同じ間隔とされる。
【００４８】
次に、付勢調整具４３によって根太本体４１を入隅壁部２１Ｂ側に付勢することで突張り根太４０の突張り力を調整する。これにより、突張り根太４０は、入隅コーナー部２Ｂの対角線に沿って突張り固定される。
また、付勢調整具４３によって根太本体４１を入隅壁部２１Ｂ側に付勢することで、第一補助根太５０Ａ，５０Ｂが入隅壁部２１Ｂの第一壁面２１１側に付勢され、第二補助根太６０Ａ,６０Ｂが入隅壁部２１Ｂの第二壁面２１２側に付勢される。これにより第一補助根太５０Ａ，５０Ｂおよび第二補助根太６０Ａ，６０Ｂも突張り固定される。
このようにデッキ支持構造４Ｂを入隅コーナー部２Ｂに固定する。
最後に、複数のデッキ材５を各根太３およびデッキ支持構造４Ａ，４Ｂ上に並べて設置し、ビス止めする。なお、各第一補助根太５０Ａ，５０Ｂは、これらの上に設けられるデッキ材５の長手方向に直交する方向に延びて配置され、各第二補助根太６０Ａ，６０Ｂは、これらの上に設けられるデッキ材５の長手方向に直交する方向に延びて配置される。
このようにして、バルコニー２にデッキ１を施工する。
【００４９】
［本実施形態の効果］
（１）本実施形態では、コーナーアタッチメント７０Ａ，７０Ｂは、水平方向に間隔を隔てて位置する一対の壁当り部７１，７２と、壁当り部７１，７２間に位置する根太受け部７３とを有し、壁当り部７１，７２および根太受け部７３によって、出隅壁部２１Ａ，２２Ｂの頂点が配置可能な逃げ空間７５が形成されることを特徴とする。
上記構成を有するため、突張り根太４０の端部にコーナーアタッチメント７０Ａ，７０Ｂを配置することで、出隅コーナー部２Ａや入隅コーナー部２Ｂを形成する様々な角度の出隅壁部２１Ａ，２２Ｂや入隅壁部２２Ａ，２１Ｂに対応でき、突張り根太４０を各コーナー部２Ａ，２Ｂの対角線に沿って容易に突張り固定できる。
また、コーナーアタッチメント７０Ａ，７０Ｂは、出隅壁部２１Ａ，２２Ｂ、入隅壁部２２Ａ，２１Ｂのいずれに対しても、壁当り部７１，７２を当てることができるので、突張り根太４０の両端部に配置するコーナーアタッチメントを共通化できる。
さらに、本実施形態では、以下の各効果を発揮できる。
（２）根太受け部７３には、上下方向において突張り根太４０の端部に掛かる掛り部７４が形成される。このため、高さ調整具４４によって突張り根太４０の高さ位置を上げた場合、掛り部７４が突張り根太４０の端部に掛かって押し上げられるので、コーナーアタッチメント７０Ａ，７０Ｂが突張り根太４０から外れることを抑制できる。
また、高さ調整具４４によって突張り根太４０の高さ位置を下げた場合、コーナーアタッチメント７０Ａ，７０Ｂはその自重によって下降するが、掛り部７４が突張り根太４０の端部に掛かるので、コーナーアタッチメント７０Ａ，７０Ｂが突張り根太４０から外れることを抑制できる。
（３）壁当り部７１，７２は、出隅壁部２１Ａ（または出隅壁部２２Ｂ）の頂点が逃げ空間７５に配置された状態で根太受け部７３が出隅壁部２１Ａ（または出隅壁部２２Ｂ）の頂点から離間して位置するように、当該根太受け部７３から延出して形成される。このため、出隅壁部２１Ａ（または出隅壁部２２Ｂ）の頂点が根太受け部７３に当接することがないので、出隅壁部２１Ａ（または出隅壁部２２Ｂ）の頂点が根太受け部７３に当接する場合と比べ、壁当り部７１，７２の出隅壁部２１Ａ（または出隅壁部２２Ｂ）に対する当り圧が根太受け部７３に分散されることがなく、壁当り部７１，７２と出隅壁部２１Ａの第一壁面２１１および第二壁面２１２（または出隅壁部２２Ｂの第一壁面２２１および第二壁面２２２）との当り状態を適切に維持できる。
（４）壁当り部７１，７２は、根太受け部７３の面外方向に延出しており、壁当り部７１，７２の延出寸法Ｌは、根太受け部７３の幅寸法Ｗの１／２よりも大きい寸法に設定される。このため、第一壁面２１１および第二壁面２１２の交差角度θ１が２７０度以下である出隅壁部２１Ａ（または第一壁面２２１および第二壁面２２２の交差角度θ２が２７０度以下である出隅壁部２２Ｂ）に壁当り部７１，７２が当てられた状態で、当該出隅壁部２１Ａ（２２Ｂ）の頂点が根太受け部７３に当接しない程度の奥行寸法を確保でき、壁当り部７１，７２と出隅壁部２１Ａ（２２Ｂ）との当り状態を適切に維持できる。
（５）壁当り部７１と根太受け部７３とによって形成される内角は、壁当り部７２と根太受け部７３とによって形成される内角と同じである。このため、壁当り部７１が第一壁面２２１（または第一壁面２１１）に対向する角度と、壁当り部７２が第二壁面２２２（または第二壁面２１２）に対向する角度とを同じにでき、突張り根太４０の突張り状態でコーナーアタッチメント７０Ａ，７０Ｂに加わる力を壁当り部７１，７２に均等に分散できる。
（６）デッキ支持構造４Ａは、間隔を隔てて対向する出隅壁部２１Ａおよび入隅壁部２２Ａによって形成される出隅コーナー部２Ａに固定されるデッキ支持構造４Ａであって、出隅コーナー部２Ａの対角線に沿って突張り固定可能な突張り根太４０と、一端部５１Ｂが突張り根太４０に取り付けられ、他端部５１Ａが入隅壁部２２Ａの第一壁面２２１に当接可能に構成される第一補助根太５０Ａ，５０Ｂと、一端部６１Ｂが突張り根太４０に取り付けられ、他端部６１Ａが入隅壁部２２Ａの第一壁面２２１に交差する第二壁面２２２に当接可能に構成される第二補助根太６０Ａ，６０Ｂとを備え、突張り根太４０は、その長手方向に長さ調整可能に構成される。このため、突張り根太４０を出隅コーナー部２Ａの対角線に沿って配置して突張り、第一補助根太５０Ａ，５０Ｂおよび第二補助根太６０Ａ，６０Ｂの他端部５１Ａ，６１Ａを入隅壁部２２Ａの第一壁面２２１および第二壁面２２２にそれぞれ当接することで、バルコニー２の出隅コーナー部２Ａにデッキ支持構造４Ａを固定でき、第一補助根太５０Ａ，５０Ｂおよび第二補助根太６０Ａ，６０Ｂにデッキ材５を設置可能な状態にできる。
また、本実施形態では、デッキ支持構造４Ｂは、デッキ支持構造４Ａと同様に構成されており、上記同様の作用効果を発揮できる。
加えて、出隅コーナー部２Ａに固定されるデッキ支持構造４Ａと入隅コーナー部２Ｂに固定されるデッキ支持構造４Ｂとを共通化できる。
（７）前述したデッキ支持構造４Ａ（４Ｂ）では、出隅コーナー部２Ａ（入隅コーナー部２Ｂ）に接着剤等によって固定することなく、突張り根太４０などを突張り固定するため、バルコニー２の改修工事（リノベーション）などの際に出隅コーナー部２Ａ（入隅コーナー部２Ｂ）からデッキ支持構造４Ａ（４Ｂ）を簡単に取り外すことができる。
（８）突張り根太４０は、第一補助根太５０Ａ，５０Ｂおよび第二補助根太６０Ａ，６０Ｂが取り付けられる根太本体４１と、根太本体４１の長さ寸法を調整する長さ調整具４２と、根太本体４１をその長手方向に沿って付勢する付勢調整具４３とを備え、根太本体４１が出隅コーナー部２Ａ（または入隅コーナー部２Ｂ）の対角線に沿って配置された状態で、長さ調整具４２は根太本体４１に対して入隅壁部２２Ａ（２１Ｂ）側に位置し、付勢調整具４３は根太本体４１に対して出隅壁部２１Ａ（２２Ｂ）側に位置する。このため、突張り根太４０を出隅コーナー部２Ａ（入隅コーナー部２Ｂ）の対角線に沿って配置し、長さ調整具４２によって突張り根太４０の長さ寸法を調整した後、付勢調整具４３によって根太本体４１を長手方向に付勢して突張り根太４０の突張り力を調整することで、根太本体４１の位置を変えることなく突張り根太４０を出隅コーナー部２Ａ（入隅コーナー部２Ｂ）に突張り固定できる。
また、根太本体４１よりも出隅壁部２１Ａ（２２Ｂ）側に位置する付勢調整具４３によって突張り力を調整するので、根太本体４１に取り付けられた第一補助根太５０Ａ，５０Ｂおよび第二補助根太６０Ａ，６０Ｂの突張り力をも調整できる。
（９）第一補助根太５０Ａ，５０Ｂおよび第二補助根太６０Ａ，６０Ｂには、当該各根太５０Ａ，５０Ｂ，６０Ａ，６０Ｂの長さ寸法を調整する長さ調整具５２，６２をそれぞれ備える。このため、根太本体４１よりも入隅壁部２２Ａ（または入隅壁部２１Ｂ）側に位置する長さ調整具４２によって突張り根太４０の長さ寸法を調整した場合には、第一補助根太５０Ａ，５０Ｂおよび第二補助根太６０Ａ，６０Ｂと入隅壁部２２Ａの第一壁面２２１および第二壁面２２２（または入隅壁部２１Ｂの第一壁面２１１および第二壁面２２２）との位置関係も変わるが、第一補助根太５０Ａ，５０Ｂおよび第二補助根太６０Ａ，６０Ｂの長さ調整具５２，６２によって、第一補助根太５０Ａ，５０Ｂおよび第二補助根太６０Ａ，６０Ｂの長さ寸法を、突張り根太４０の長さ寸法の調整に対応して調整できる。
（１０）第一補助根太５０Ａ，５０Ｂの突張り根太４０への取付位置と第二補助根太６０Ａ，６０Ｂの突張り根太４０への取付位置とは、突張り根太４０の長手方向において同位置であり、第一補助根太５０Ａ，５０Ｂおよび突張り根太４０によって形成される内角は、第二補助根太６０Ａ，６０Ｂおよび突張り根太４０によって形成される内角と同じである。このため、デッキ支持構造４Ａを出隅コーナー部２Ａに固定した状態（またはデッキ支持構造４Ｂを入隅コーナー部２Ｂに固定した状態）で、第一補助根太５０Ａ，５０Ｂから突張り根太４０に加わる力と第二補助根太６０Ａ，６０Ｂから突張り根太４０に加わる力とを簡単につり合わせることができ、デッキ支持構造４Ａ，４Ｂの固定状態を容易に安定させることができる。
（１１）コーナーアタッチメント７０Ａ，７０Ｂの壁当り部７１，７２の先端側に可撓性を有する緩衝材７６が配置される。このように緩衝材７６が可撓性を有するため、出隅壁部２１Ａ（または出隅壁部２２Ｂ）およびコーナーアタッチメント７０Ｂ間と入隅壁部２２Ａ（または入隅壁部２１Ｂ）およびコーナーアタッチメント７０Ａ間とのいずれにも、前述した緩衝材７６を配置でき、突張り根太４０の突張り状態を、より安定させることができる。
（１２）本実施形態のデッキ１では、第一補助根太５０Ａ，５０Ｂに沿って配置される根太３と、第二補助根太６０Ａ，６０Ｂに沿って配置される根太３とを備え、入隅壁部２２Ａ（２１Ｂ）側に位置する突張り根太４０の端部から第一補助根太５０Ａの他端部５１Ａまでの間隔と、第一補助根太５０Ａの他端部５１Ａから第一補助根太５０Ｂの他端部５１Ａまでの間隔と、第一補助根太５０Ｂの他端部５１Ａから根太３の端部３１Ａまでの間隔とが同じであり、入隅壁部２２Ａ（２１Ｂ）側に位置する突張り根太４０の端部から第二補助根太６０Ａの他端部６１Ａまでの間隔と、第二補助根太６０Ａの他端部６１Ａから第二補助根太６０Ｂの他端部５１Ａまでの間隔と、第二補助根太６０Ｂの他端部６１Ａから根太３の端部３１Ａまでの間隔とが同じである。このため、第一補助根太５０Ａ，５０Ｂおよび第二補助根太６０Ａ，６０Ｂと根太３とによって等間隔にデッキ材５を支持できる。
（１３）複数のデッキ材５は、第一壁面２１１，２２１および前記第二壁面２１２，２２２に沿って配置され、出隅コーナー部２Ａ（または入隅コーナー部２Ｂ）に位置するデッキ材５の端部は、当該デッキ材５の長手方向に傾斜して突張り根太４０に沿って位置する傾斜端面５Ａを有する。このため、出隅コーナー部２Ａ（または入隅コーナー部２Ｂ）において複数のデッキ材５の傾斜端面５Ａを有する端部同士を突き合せることができ、突き合せ一方のデッキ材５の端部が他方のデッキ材５の端部に対して屋外側に突き出して位置することがなく、意匠性を向上できる。
【００５０】
［変形例］
本発明は、以上の実施形態で説明した構成のものに限定されず、本発明の目的を達成できる範囲での変形例は、本発明に含まれる。
例えば、前記実施形態では、突張り根太４０は、付勢調整具４３を備えているが、この構成を省略し、根太本体４１がコーナーアタッチメント７０Ｂに当接する構成としてもよい。この場合、長さ調整具４２は前述したように根太本体４１に対して入隅壁部２２Ａ，２１Ｂ側に配置されてもよいが、出隅壁部２１Ａ，２２Ｂ側に配置されてもよい。
【００５１】
前記実施形態では、第一補助根太５０Ａ，５０Ｂおよび第二補助根太６０Ａ，６０Ｂは長さ調整具５２，６２を備えているが、これらの構成を省略してもよい。この場合、突張り根太４０の長さ調整具４２は、第一補助根太５０Ａ，５０Ｂおよび第二補助根太６０Ａ，６０Ｂが入隅壁部２２Ａの第一壁面２２１および第二壁面２２２（または入隅壁部２１Ｂの第一壁面２１１および第二壁面２１２）に当接するように、突張り根太４０の長さを調整する。
【００５２】
前記実施形態では、突張り根太４０は、高さ調整具４４を備えているが、この構成を省略してもよい。
また、第一補助根太５０Ａ，５０Ｂおよび第二補助根太６０Ａ，６０Ｂは、高さ調整具５３，６３を備えているが、この構成を省略してもよい。
【００５３】
前記実施形態では、第一補助根太５０Ａの突張り根太４０への取付位置と第二補助根太６０Ａの突張り根太４０への取付位置とは、突張り根太４０の長手方向において同位置であるが、異なっていてもよい。
また、第一補助根太５０Ｂの突張り根太４０への取付位置と第二補助根太６０Ｂの突張り根太４０への取付位置とは、突張り根太４０の長手方向において同位置であるが、異なっていてもよい。
【００５４】
前記実施形態では、第一補助根太５０Ａおよび突張り根太４０によって形成される内角は、第二補助根太６０Ａおよび突張り根太４０によって形成される内角と同じであるが、異なっていてもよい。
また、第一補助根太５０Ｂおよび突張り根太４０によって形成される内角は、第二補助根太６０Ｂおよび突張り根太４０によって形成される内角と同じであるが、異なっていてもよい。
【００５５】
前記実施形態では、第一補助根太５０Ａおよび第二補助根太６０Ａの長さが同じであり、かつ、第一補助根太５０Ｂおよび第二補助根太６０Ｂの長さが同じであるが、異なっていてもよい。
【００５６】
前記実施形態では、第一補助根太５０Ａ，５０Ｂを備えているが、当該第一補助根太５０Ａ，５０Ｂのうちの一方だけを備えていてもよい。また、第二補助根太６０Ａ，６０Ｂを備えているが、当該第二補助根太６０Ａ，６０Ｂのうちの一方だけを備えていてもよい。
【００５７】
前記実施形態では、コーナーアタッチメント７０Ａ，７０Ｂは、根太受け部７３の上部に掛り部７４が形成されているが、この構成を省略してもよい。
【００５８】
前記実施形態では、壁当り部７１，７２は、根太受け部７３から面外方向に延出して形成されているが、例えば図８（Ａ）に示すように、壁当り部７１，７２の先端（延出端）を折曲して断面ハット形状に形成してもよい。
【００５９】
前記実施形態では、壁当り部７１と根太受け部７３とによって形成される内角と、壁当り部７２と根太受け部７３とによって形成される内角とは、９０度とされているが、例えば図８（Ｂ）に示すように、１８０度よりも小さい角度範囲で９０度よりも大きい角度とされてもよく、また、０度よりも大きい角度範囲で９０度よりも小さい角度とされてもよい。
また、壁当り部７１と根太受け部７３とによって形成される内角は、壁当り部７２と根太受け部７３とによって形成される内角と同じであるが、異なっていてもよい。
【００６０】
前記実施形態では、コーナーアタッチメント７０Ａ，７０Ｂの壁当り部７１，７２の先端側に緩衝材７６が配置されるが、この構成を省略し、壁当り部７１，７２を入隅壁部２２Ａ，２１Ｂや出隅壁部２１Ａ，２２Ｂに直接当ててもよい。
【００６１】
前記実施形態に係るデッキ支持構造４Ａ，４Ｂは、突張り根太４０、第一補助根太５０Ａ，５０Ｂおよび第二補助根太６０Ａ，６０Ｂのうちの少なくとも一つの根太に連結される根太材を備え、当該根太材は、出隅壁部２１Ａ，２２Ｂおよび入隅壁部２２Ａ，２１Ｂのうちの少なくとも一方の第一壁面２１１，２２１または前記第二壁面２１２，２２２に沿って配置可能に構成されていてもよい。
このように構成した場合、出隅コーナー部２Ａ（または入隅コーナー部２Ｂ）におけるデッキ支持構造４Ａ，４Ｂがデッキ材５を支持する箇所を、各根太４０，５０Ａ，５０Ｂ，６０Ａ，６０Ｂに根太材を連結することによって増設できる。また例えば、第一補助根太５０Ａ，５０Ｂの長手方向に沿って根太材を突張り根太４０の他方の側面に配置することで、出隅コーナー部２Ａ（または入隅コーナー部２Ｂ）において第一補助根太５０Ａ，５０Ｂが突張り根太４０をまたいで延びているように構成できる。また、第二補助根太６０Ａ，６０Ｂの長手方向に沿って根太材を突張り根太４０の一方の側面に配置することで、出隅コーナー部２Ａ（または入隅コーナー部２Ｂ）において第二補助根太６０Ａ，６０Ｂが突張り根太４０をまたいで延びているように構成できる。
【００６２】
例えば図９に示すように、突張り根太４０に連結される根太材９０Ａ，９０Ｂ、第二補助根太６０Ａに連結される根太材９０Ｃを備えていてもよい。
根太材９０Ａは、両端部で突張り根太４０と第二補助根太６０Ａとに連結されている。根太材９０Ｂは、両端部で突張り根太４０と根太３とに連結されている。根太材９０Ｃは、両端部で第二補助根太６０Ａと根太３とに連結されている。
根太材９０Ａ，９０Ｂ，９０Ｃは、入隅壁部２２Ａの第二壁面２２２に沿ってそれぞれ配置されている。根太材９０Ｃは、根太材９０Ａの長手方向における仮想延長線に沿って配置されている。根太材９０Ｂは、第一補助根太５０Ａの長手方向における仮想延長線に沿って配置されている。
このように根太材９０Ａ，９０Ｂ，９０Ｃを備えることで、根太材９０Ａ，９０Ｂ，９０Ｃを、図９において右側に示す根太３Ａと所定間隔を隔てて並んで配置できる。このため、図９において左右方向に延びるデッキ材５が出隅コーナー部２Ａまで設置される場合でも、デッキ支持構造４Ａによって当該デッキ材５を支えることができる。なお、図９において左右方向に延びるデッキ材５は、上下方向に延びるデッキ材５に対して出隅コーナー部２Ａで勝っている。この左右方向に延びるデッキ材５に直交する方向において、第一補助根太５０Ａおよび根太材９０Ｂや根太材９０Ａ，９０Ｃによって突張り根太４０をまたいで延びる根太があるように構成でき、出隅コーナー部２Ａにおいてデッキ材５を適切に支えることができる。
【００６３】
前述したデッキ支持構造４Ａ（４Ｂ）を、出隅コーナー部２Ａ（入隅コーナー部２Ｂ）への施工前に組み立てることによって、単体であるデッキ支持体を構成してもよい。
【符号の説明】
【００６４】
１…デッキ、２…バルコニー、２１，２２…壁部、２１１，２２１…第一壁面、２１２，２２２…第二壁面、２１Ａ，２２Ｂ…出隅壁部、２１Ｂ，２２Ａ…入隅壁部、２３…底部、２Ａ…出隅コーナー部、２Ｂ…入隅コーナー部、３，３Ａ…根太、３１，４１…根太本体、３１Ａ，３１Ｂ，５１Ａ，５１Ｂ，６１Ａ，６１Ｂ…端部、３２，４２，５２，６２…長さ調整具、３２１，３３３，３４１…ねじ軸、３２２，３３４，３４２…当り部材、３３，４３…付勢調整具、３３１…スライド部材、３３２…コイルばね、３４，４４，５３，６３…高さ調整具、４０…突張り根太、４１１…上板部、４１２，４１３…側板部、４１４…下板部、４１５，４１６…延出片部、４１７，４１８…溝部、４Ａ，４Ｂ…デッキ支持構造、５…デッキ材、５Ａ…傾斜端面、５０Ａ，５０Ｂ…第一補助根太、５１，６１…補助根太本体、６０Ａ，６０Ｂ…第二補助根太、７０Ａ，７０Ｂ…コーナーアタッチメント、７１，７２…壁当り部、７３…根太受け部、７４…掛り部、７５…逃げ空間、７６…緩衝材、８０…取付部材、９０Ａ，９０Ｂ，９０Ｃ…根太材、θ１，θ２…交差角度、Ｌ…延出寸法、Ｗ…幅寸法。
【図１】
2017002594.tif 000003
【図２】
2017002594.tif 000004
【図３】
2017002594.tif 000005
【図４】
2017002594.tif 000006
【図５】
2017002594.tif 000007
【図６】
2017002594.tif 000008
【図７】
2017002594.tif 000009
【図８】
2017002594.tif 000010
【図９】
2017002594.tif 000011